(57)【要約】【課題】強度が大なるドーム型天井を備え、防水性および意匠性に優れるユニットバスを提供する。【解決手段】ドーム型天井を備えたユニットバス１において、天井は化粧鋼板で形成したドーム型天井パネル４と平鋼板５からなり、ドーム型天井パネル４は、周囲に水平面を有し、中央部には上方に膨らんだ膨出部４ｆが一体成形されてなり、ドーム型天井パネル４は複数の壁パネル３ａ，３ｂ上に亘って設置されている。【選択図】図１
2009299322.tif 000002
【特許請求の範囲】
【請求項１】
ドーム型天井を備えたユニットバスにおいて、
前記天井は２枚または３枚の鋼板からなり、
該鋼板のうち少なくとも１枚は、周囲に水平面を有するとともに中央部は上に膨らんだ形状に一体成形された化粧鋼板である
ことを特徴とするユニットバス。
【請求項２】
前記化粧鋼板は、防水パン上に立設された３枚もしくは２枚の壁パネル上に亘って設置されている請求項１に記載のユニットバス。
【請求項３】
防水パン上に壁パネルを立設した後、該壁パネル同士を室内側から連結し、
該壁パネル上に、鋼板を絞り加工して成形したドーム型天井パネルを載置する
ことを特徴とするユニットバスの組立方法。
【発明の詳細な説明】
【技術分野】
【０００１】
本発明は、ドーム型天井を備えたユニットバス、及び、このユニットバスの組立方法に関するものである。
【背景技術】
【０００２】
従来、この種のユニットバスのドーム型天井として、特許文献１に開示されているように、化粧鋼板を折り曲げ加工もしくは絞り加工して飾り付き縁枠を形成し、この飾り付き縁枠内に化粧鋼板の天板を接合して構成したものが存在する。
【特許文献１】特開平７−７６９４１号公報
【発明の開示】
【発明が解決しようとする課題】
【０００３】
上記特許文献１に開示されているドーム型天井では、飾り付き縁枠に化粧鋼板の天板を接合する構造であり、縁枠と天板の接合部分を止水する必要があり、止水部分が多くなり継ぎ目で強度が弱くなる。しかも、見た目が悪く、意匠性に乏しいという問題点があった。また、天井の大部分を占める天板が平板の場合は、強度が弱いという問題があった。
【課題を解決するための手段】
【０００４】
本発明は、止水部分が少なく、意匠性に優れて強度が大なるドーム型天井を備えたユニットバスの提供を目的とし、この目的を達成するために以下の手段を採った。
本発明は、ドーム型天井を備えたユニットバスにおいて、前記天井は２枚または３枚の鋼板からなり、該鋼板のうち少なくとも１枚は、周囲に水平面を有するとともに中央部は上に膨らんだ形状に一体成形された化粧鋼板であることを要旨とする。
【発明の効果】
【０００５】
本発明のユニットバスのドーム型天井は、周囲に水平面を有し、中央部が上方へ膨出した形状に化粧鋼板で一体成形されているため、平板に比べて強度が大なものとなり、また、一体成形されているため止水する必要がなく、意匠性に優れたものとなる。
【０００６】
また、本発明のユニットバスにおいて、前記化粧鋼板は、防水パン上に立設された３枚もしくは２枚の壁パネル上に亘って設置される構成とすることもできる。
こうすれば、２枚もしくは３枚の壁パネル上に亘ってドーム型天井が設置されるため、強度が増すとともに止水ラインが少なくて済み、防水性が向上し、意匠的にも優れたものとなる。しかも、継ぎ目が少ないため、強度が大きい天井となる。
【０００７】
また、本発明のユニットバスの組立方法は、防水パン上に壁パネルを立設した後、該壁パネル同士を室内側から連結し、該壁パネル上に、鋼板を絞り加工して成形したドーム型天井パネルを載置することを要旨とする。
こうすれば、防水パン上の複数の壁パネルを室内側から連結して、強固に壁パネルを立設した後に、この複数の壁パネル上にドーム型天井パネルを載置して、ユニットバス全体の強度を高めることができ、また、止水ラインを少なくして防水性を向上させることができるものとなる。
【発明を実施するための最良の形態】
【０００８】
次に、本発明を実施するための最良の形態を実施例を用いて説明する。
図１は、ユニットバスの概略構成図であり、図２は、図１の右側面図である。
ユニットバス１は、防水パン２の外周に、複数枚の壁パネル３ａ，３ｂ，３ｃ，３ｄを立設し、この複数枚の壁パネル３ａ，３ｂ，３ｃ，３ｄ上に、ドーム型天井パネル４と平鋼板５を載置して天井面を形成したものである。
なお、天井を構成する平鋼板５には換気乾燥機６が取り付けられている。また、壁パネル３ｄには入口ドア７が開閉可能に取り付けられている。
【０００９】
なお、防水パン２は、高さを調整できる複数本の高さ調整ボルト２ａ，２ａを備えており、防水パン２の底面には排水トラップ２ｂが設けられている。
このユニットバス１内の壁パネル３ａと壁パネル３ｃ側には浴槽８が設置され、防水パン２上の壁パネル３ｂと壁パネル３ｄ側には洗い場９が形成されており、壁パネル３ｂには水栓１０と鏡１１が設けられている。
【００１０】
本例のドーム型天井パネル４と平鋼板５は、鋼板に塩ビフイルム等をラミネート加工した化粧鋼板で構成されている。
ドーム型天井パネル４は、図３に平面図で、また、図４に図３のＡ−Ａ線断面を、図５に図３のＢ−Ｂ線断面を示すような形状に、化粧鋼板を絞り加工して形成されている。
即ち、ドーム型天井パネル４は、外周の水平面４ａ，４ｂ，４ｃ，４ｄと上方へ向かって膨らんだ膨出部４ｆが絞り加工で一体成形されたものである。
【００１１】
ドーム型天井パネル４の詳細は、平鋼板５側の水平面４ａに対向して水平面４ｂが形成され、また、幅方向には水平面４ｃと対向状に水平面４ｄが形成されており、図４に示すように、水平面４ａから上方へ向かって急傾斜面４ｅが形成され、急傾斜面４ｅの上端で平面視略円形状をなす膨出部４ｆが形成され、膨出部４ｆから水平面４ｂに向かって緩やかに傾斜する緩傾斜面４ｇが一体形成されている。
また、幅方向においては、図５に示すように、左右の水平面４ｃおよび４ｄ側から傾斜状に立ち上げて立上傾斜面４ｈ，４ｈが形成され、立上傾斜面４ｈ，４ｈから膨出部４ｆに向かって緩やかな上傾面４ｉ，４ｉが一体形成されている。
【００１２】
このようにドーム型天井パネル４は、中央部に上方へ膨出して膨出部４ｆが形成されており、その外周側には傾斜面４ｅ，４ｇ，４ｈ，４ｉが一体形成されて曲面状を成している。即ち、膨出部４ｆと傾斜面４ｅ，４ｇ，４ｈ，４ｉが継ぎ目なく一体に形成されているため、平板や平板と傾斜面の間に継ぎ目を有する天井と比べて強度が大なものとなり、石膏ボードなどの裏打ちを必要とせず、若しくは石膏ボードなどの裏打ちを薄くしても、十分な強度が確保できるものである。しかも、このドーム型天井パネル４の外周には水平面４ａ，４ｂ，４ｃ，４ｄが形成されており、２枚あるいは３枚の壁パネル３ａ，３ｂ，３ｄ上に亘って載置することができ、ユニットバス１全体の強度が確保できるとともに、壁パネル３ａ，３ｂ，３ｄの上端とドーム型天井パネル４の水平面４ａ，４ｂ，４ｃ，４ｄ間の止水ラインを少なくすることができ、防水性を高めることができるものである。
【００１３】
このようなユニットバス１は、防水パン２を高さ調整ボルト２ａで高さ調整して設置し、防水パン２上の外周に複数枚の壁パネル３ａ，３ｂ，３ｃ，３ｄを立設し、各壁パネル３ａ，３ｂ，３ｃ，３ｄ同士を室内側から連結し、複数の壁パネル３ａ，３ｂ，３ｃ，３ｄを強固に立設させた後に、複数の壁パネル３ａ，３ｂ，３ｃ，３ｄ上に掛け渡し状にしてドーム型天井パネル４および平鋼板５が載置され、ドーム型天井パネル４および平鋼板５は上方から水平面４ａ，４ｂ，４ｃ，４ｄにビスを打ち、ビスでドーム型天井パネル４および平鋼板５を壁パネル３ａ，３ｂ，３ｃの上端に固定することができ、壁パネル３ａ，３ｂ，３ｃ，３ｄとドーム型天井パネル４および平鋼板５との接合部は、その後に室内側からシール材を用いて止水することで、ユニットバスの組み立てを完了することができ、全体として強固な構造のユニットバス１を構築することができる。
なお、ドーム型天井パネル４は絞り加工で一体成形されているため意匠性に優れ、しかも部材を繋ぎ合わせたものではないため、防水性が向上したものとなる。
【００１４】
なお、図６は、多少形状の異なるドーム型天井パネル４と平鋼板５を壁パネル３ａ，３ｂ，３ｃ，３ｄ上に載置する前の分解斜視図である。
また、図７に斜め下方から視た斜視図で示すドーム型天井パネル４は変形例であり、この図７のドーム型天井パネル４は、図３における水平面４ａ側が縦方向に切断された形状をなし、左端縁には上方へ立ち上げて接続立片４ｊが一体形成され、膨出部４ｆには、点検口４ｋが開口されたものである。この接続立片４ｊに、膨出部４ｆを一体成形した別のドーム型天井パネル４を連結させて、２枚のドーム型天井パネル４を用いてユニットバス１の天井面を形成させることができるものである。
【００１５】
なお、図７のドーム型天井パネル４においても、外周３辺には、水平面４ｂ，４ｃ，４ｄが形成されており、水平面４ｃ，４ｄから斜め上方に一体状に立ち上げて立上傾斜面４ｈ，４ｈが形成され、さらにその上端で緩やかな上傾面４ｉ，４ｉが形成されて膨出部４ｆに連続されている。
本例のドーム型天井パネル４においても、水平面４ｂ，４ｃ，４ｄを壁パネル３ａ，３ｂ，３ｄの上端にビスで接合させて強固に設置することができるものである。
【００１６】
また、さらに図８に示すものは、３枚のドーム型パネルでユニットバスの天井面を形成する場合の概略図であり、浴槽側パネル４１と、中央部パネル４２と、洗い場側パネル４３を連結させて、全体としてドーム型の天井が形成されるものである。
浴槽側パネル４１，中央部パネル４２，洗い場側パネル４３は、それぞれ化粧鋼板を絞り加工して、外周側に水平面が形成されているとともに、水平面から上傾した傾斜面４ｈ，４ｈが形成され、その上方に膨出部４ｆがそれぞれ一体成形されたものである。
なお、洗い場側パネル４３には膨出部４ｆに点検口４ｋが形成されており、また、浴槽側パネル４１の膨出部４ｆには、換気扇を取り付ける換気扇取付け部４ｌが開口されている。
【図面の簡単な説明】
【００１７】
【図１】ユニットバスの概略構成図である。
【図２】図１の右側面図である。
【図３】ドーム型天井パネルの平面構成図である。
【図４】図３のＡ−Ａ線断面図である。
【図５】図３のＢ−Ｂ線断面図である。
【図６】変形例のドーム型天井パネルと平鋼板を壁パネルの上端に載置する前の斜視構成図である。
【図７】ドーム型天井パネルの変形例の斜め下方から視た斜視構成図である。
【図８】３枚のドーム型パネルにより天井を構成する場合の分解図である。
【符号の説明】
【００１８】
１  ユニットバス
２  防水パン
３ａ，３ｂ，３ｃ，３ｄ  壁パネル
４  ドーム型天井パネル
４ａ，４ｂ，４ｃ，４ｄ  水平面
４ｅ  急傾斜面
４ｆ  膨出部
４ｇ  緩傾斜面
４ｈ  立上傾斜面
４ｉ  上傾面
４ｊ  接続立片
４ｋ  点検口
５  平鋼板
７  入口ドア
【図１】
2009299322.tif 000003
【図２】
2009299322.tif 000004
【図３】
2009299322.tif 000005
【図４】
2009299322.tif 000006
【図５】
2009299322.tif 000007
【図６】
2009299322.tif 000008
【図７】
2009299322.tif 000009
【図８】
2009299322.tif 000010